(57)【要約】係止力をバネの負勢力に依存することなく、しかも外れることがほとんどなく、従来品に比し大きさの制約も小さく、さらに従来技術の重要課題であった「生地に穴を開けない」という性能を有する留め具を提供する。嵌入部２および基部３を組み立て挟持部１が開放した状態にする。ストッパー４を生地と一緒に挟持部１内部へ押し込む。挟持部１を閉鎖し、生地をストッパー４の外周と保持手２６、３６先端で保持される。スライド部２２が溝部３２に一杯入った状態で、係止爪２３は爪受け３３ｂに嵌合される。
2008139783.tif 000002
【特許請求の範囲】
【請求項１】
伸縮する挟持部と、前記挟持部に挟持されるストッパーとからなる留め具であって、前記挟持部が間隙を縮めて前記ストッパーを挟持した際に、その挟持幅以上に広がらないように係止する手段を設けたことを特徴とする留め具。
【請求項２】
前記挟持部がシート状物の片面に位置する２つ以上の保持手によって、前記シート状物のもう片面に位置する前記ストッパーを挟持するように形成され、挟持された状態で、前記保持手と前記ストッパーとの間にシート状物の厚さより大きい間隙を有することを特徴とする請求項１記載の留め具。
【請求項３】
前記ストッパーがシート状物の片面に取り付けられたボタン形状であって、同じ片面に位置する前記挟持部が２つ以上の保持手によって、前記ストッパーを保持するように形成したことを特徴とする請求項１記載の留め具
【請求項４】
挟持幅以上に広がらないように係止された前記挟持部を、意図的に係止を開放できる手段を設けたことを特徴とする請求項１乃至３記載の留め具
【請求項５】
前記挟持部の係止を開放する手段が、係止している部分を開放する位置へと移動させる手段と、開放する位置へ移動した際に、挟持部を開放する方向へはじき出そうとする弾性手段とからなることを特徴とする請求項４記載の留め具。
【請求項６】
伸縮する挟持部と、前記挟持部に挟持されるストッパーとからなる留め具であって、前記挟持部に２つ以上の保持手が形成され、前記挟持部が間隙を縮めることにより前記ストッパーを前記保持手により挟持するように設け、その挟持幅以上に広がらないように係止する手段を設け、前記挟持部がシート状物を介して前記ストッパーを挟持する、またはボタン形状で取り付けられた前記ストッパーを前記挟持部が挟持することを特徴とする留め具。
【発明の詳細な説明】
【技術分野】
【０００１】
本発明は、主に布などのシート状のものに係止するための留め具であって、そのシート状物に穴を開けずに、またはシート状物に縫い付けたボタンなどを利用して留めることができる留め具に関する。
【背景技術】
【０００２】
服の生地などのシート状物に物品を係止するためには、安全ピンや虫ピンなどといった針を刺して留める方法が最も一般的に採用されている。この場合、生地などに針を刺すことによって、幾分なりとも生地を傷つけることになる。名札などのように毎日同じ位置に安全ピンで取り付けていると、簡単に穴が大きくなってしまう。シルクなどの弱い生地の商品の場合、名札のように繰り返しでないにしろ、正札を一度取り付けただけで微細な傷がついてしまうと、商品価値が一期に落ちてしまう。【０００３】
このような問題を解決し、針を刺すことなく洋服に名札などを取り付けるものとして、本発明者は、特許文献１および特許文献２で「留め具」を提案している。これは、それ以前に提案されていた「バッジ」形態の留め具では実現できなかった「取り付けやすくて、外れにくい」という性能を実現せしめた実用的なものである。また、この提案の留め具では生地を強くはさまない構造であることから、生地を痛めないという利点も有している。【０００４】
【特許文献１】特開２００６−２３０７２８号公報
【特許文献２】実願２００７−２４８４号
【０００５】
しかしながら、上記で提案された留め具の保持力はバネの負勢力に依存している。そのため、バネの負勢力に抗する力が加わると保持しきれなくなって、留め具が外れてしまう場合がある。外れないようにバネを強くすると、本来の目的だった「取り付けやすい」という利点が失われるだけでなく、場合によっては生地を強くはさむ懸念も現れる。【０００６】
また、保持力を確保するために十分なバネの伸縮を得るためのストロークが必要であり、留め具自体の大きさがある程度必要であり、小さくするのには限界があった。また、バネの伸び縮みの幅を取るために、形状的にも長細い部分を作る必要性があった。このため、従来のような安全ピン形式の留め具のように、限界まで小さくすることによって、様々な分野の製品に応用できる技術と比較すると、製造できる大きさの制約が多すぎた。
【発明の開示】
【発明が解決しようとする課題】
【０００７】
したがって、本発明はこの課題を解決するために、係止力をバネの負勢力に依存することなく、しかも外れることがほとんどなく、従来品に比し大きさの制約も小さく、さらに従来技術の重要課題であった「生地に穴を開けない」という性能を有する留め具を提供することを目的とする。
【課題を解決するための手段】
【０００８】
上記目的を達成するため本発明は、伸縮する挟持部と、前記挟持部に挟持されるストッパーとからなる留め具であって、前記挟持部が間隙を縮めて前記ストッパーを挟持した際に、その挟持幅以上に広がらないように係止する手段を設けた。【０００９】
また、本発明では、前記挟持部がシート状物の片面に位置する２つ以上の保持手によって、前記シート状物のもう片面に位置する前記ストッパーを挟持するように形成され、挟持された状態で、前記保持手と前記ストッパーとの間にシート状物の厚さより大きい間隙を有するようにした。【００１０】
また、本発明では、前記ストッパーがシート状物の片面に取り付けられたボタン形状であって、同じ片面に位置する前記挟持部が２つ以上の保持手によって、前記ストッパーを保持するように形成した。【００１１】
また、本発明では、挟持幅以上に広がらないように係止された前記挟持部を、意図的に係止を開放できる手段を設けた。【００１２】
また、本発明では、前記挟持部の係止を開放する手段が、係止している部分を開放する位置へと移動させる手段と、開放する位置へ移動した際に、挟持部を開放する方向へはじき出そうとする弾性手段とからなるようにした。【００１３】
また、本発明では、伸縮する挟持部と、前記挟持部に挟持されるストッパーとからなる留め具であって、前記挟持部に２つ以上の保持手が形成され、前記挟持部が間隙を縮めることにより前記ストッパーを前記保持手により挟持するように設け、その挟持幅以上に広がらないように係止する手段を設け、前記挟持部がシート状物を介して前記ストッパーを挟持する、またはボタン形状で取り付けられた前記ストッパーを前記挟持部が挟持するようにした。
【発明の効果】
【００１４】
本発明では、たとえば、挟持部を可撓性を有する樹脂などで形成し、これに撓みによって係止爪などを形成して係止手段として着脱させることにより係止することができるため、挟持部が間隙を縮めて前記ストッパーを挟持した際に、その挟持幅以上に広がらないように係止されて確実な係止力が確保されるため、外れる心配がなく、従来技術のようなバネの保持力を必要としない。このため、従来必要としていたバネのためのスペースが不要となり、大きさの制限が大幅に取り除け、様々の大きさや材質の製品に応用できるため、その用途が非常に幅広くなる。【００１５】
また、本発明では、挟持部に設けた２つ以上の保持手とストッパーによりシート状物を挟持するにあたり、保持手とストッパーとの間にシート状物の厚さより大きい間隙を有するようにしたことにより、布地などへのストレスが非常に少なくなる。特に、保持手がストッパーを挟持する面積がわずかであっても、構造的に係止力を損なうことがないため、布地などを巻き込む部分が非常に小さいため、従来技術での大きな課題であった皺が非常に少なくなる。【００１６】
さらに、本発明では、ストッパーをボタン形状として、シート状物に縫い付けられたボタンに、同じ側に挟持部を位置させれば、布地を挟んで留めるのに不適な厚手の生地の衣服であっても、既存のボタンまたは新たにボタンを取り付けるだけで、容易に着脱できる留め具として使用でき、冬服でも使え、通年して使用できるため、冬場になくすなどの問題も解決できる。また、名札のみならず、腕章や携帯電話ストラップといった用途が広範囲に広がる。さらに、布地の両側で挟持して留める方法であっても、ボタン形状であるため、ストッパーを落として失くしたりした場合であっても、市販のボタンを代用することも容易である。【００１７】
さらに、本発明では、挟持部の係止を意図的に開放できる手段を設けることにより、挟持部を容易に着脱できるようにする。本来、本発明の構成では、不用意に挟持部の係止が外れないような脱落防止手段を設けた構造となっているために、挟持部の係止を意図的に開放する手段を設けることにより、操作性が一段と向上する。【００１８】
さらに、本発明では、挟持部の係止を開放する手段として、挟持部を開放する方向へはじき出そうとする弾性手段を加えることにより、意図的に開放させる操作をすれば、容易に挟持部自らの力で解放され、着脱が一段と容易になる。【００１９】
また、本発明では、挟持部がシート状物を介してストッパーを挟持する方法と、ボタン形状で取り付けられたストッパーを挟持部が挟持する方法のいずれかの方法を選択できるようにしたことにより、布地の厚さや用途によって使い分けが出来るため、さらに用途が広がることになる。  
【図面の簡単な説明】
【００２０】
【図１】本発明に係る第１実施形態の留め具を表側から見た状態の分解斜視図
【図２】第１実施形態の留め具を組み立てて装着する前の状態を裏側から見た斜視図
【図３】布地を表示せずに第１実施形態の留め具の装着状態を示す斜視図
【図４】第１実施形態の留め具の作動を説明する一部断面図
【図５】第１実施形態の留め具の正面図
【図６】第１実施形態の留め具の背面図
【図７】第１実施形態の留め具の右側面図
【図８】第１実施形態の留め具の左側面図
【図９】第１実施形態の留め具の上面図
【図１０】第１実施形態の留め具の底面図
【図１１】本発明に係る第２実施形態の留め具を表側から見た状態の分解斜視図
【図１２】第２実施形態の留め具を裏側から見た分解斜視図
【図１３】第２実施形態の留め具を組み立てた状態での着脱状態を裏側から見た斜視図
【図１４】第２実施形態の留め具の作動を説明する断面図
【図１５】第２実施形態の留め具の正面図
【図１６】第２実施形態の留め具の右側面図
【図１７】第２実施形態の留め具の左側面図
【図１８】第２実施形態の留め具の上面図
【図１９】第２実施形態の留め具の底面図
【図２０】第２実施形態の留め具の背面図
【図２１】第２実施形態の留め具をＩＤパスホルダーとして使用した例を説明する斜視図
【図２２】第２実施形態の留め具を携帯電話用ストラップに使用した例を説明する斜視図
【図２３】第２実施形態の留め具を腕章に使用した例を説明する斜視図
【図２４】第３実施形態ののＭＰ３携帯音楽機器のケースの構造を説明する分解斜視図
【符号の説明】
【００２１】
１      挟持部
２      嵌入部
３      基部
４      ストッパー
２２    ライド部
２３    係止爪
３２    溝部
３３ａ  爪受け
３３ｂ  爪受け
【発明を実施するための最良の形態】
【００２２】
本発明に係る留め具は、可撓性を有する樹脂などの射出成型によって製造すると良い。したがって、例えば、ＰＯＭ（ポリオキシエチレン）やＰＡ（ポリアミド）などのエンジニアプラスチックと呼ばれる部類の樹脂やＡＢＳ樹脂が望ましい。【００２３】
まず、第１実施形態の留め具の構成について説明する。
図１〜３に示すように、挟持部１と、布の反対側に位置するボタン状のストッパー４とからなる。挟持部１には回動自在な回動部５が取り付けられている。挟持部１は嵌入部２と基部３とからなり、この二つが嵌合して、挟持部１の主要部分を構成する。【００２４】
基部３は略円形の正面部３１の両側に溝部３２が形成され、一方、嵌入部２は略Ｕ字形であって、その両側にスライド部２２が形成され、これが前記した溝部３２に嵌って摺動するように設けられている。スライド部２２には係止爪２３が形成され、一方、溝部３２には係止爪２３を係止する爪受け３３ａ、３３ｂが形成されている。後述する使用方法で示すように、爪受け３３ａは挟持部１の開放時の係止爪２３の位置であり、爪受け３３ｂは挟持部１の閉鎖時の係止用である。【００２５】
各係止爪２３の外側にはスライド部２２を内側に押し入れる押ボタン２４がそれぞれ設けられている。この押ボタン２４は係止爪２３が爪受け３３ｂに係止状態からリリースするためのものであって、係止爪２３の爪受け３３ｂとの係止深さからリリースできる深さを押し入れる以上の厚さを有している。【００２６】
係止爪２３の係止面２５は僅かに内側より外側が低いように傾斜して形成され、これに対応して爪受け３３ｂの係止受け面３５もまた内側より外側が僅かに低いように傾斜して形成されている（図４参照）。この係止面２５および係止受け面３５の傾斜は、嵌入部２と基部３と係止された状態で、互いを引き離なそうとする力が加わると、係止爪２３が爪受け３３ｂへ、より深く入り込もうとするため、かえって係止が外れ難いようになる構造のためである。【００２７】
一方、押ボタン２４によって係止爪２３を爪受け３３ｂからリリースするに当たっては、この傾斜を超えてリリースする必要があるため、係止爪２３がその分スライドすることができるだけの空間の余裕が爪受け３３ｂには設けられている。【００２８】
嵌入部２および基部３の片面には、ストッパー４を挟持するための保持手２６、３６が設けられている。この保持手２６、３６の形状は特に限定されるものではないが、本実施形態においては一方を円弧状に形成することにより、ストッパー４との間に挟まれる布地のストレスを最小限にしつつ、確実に挟持できるように設けられている。【００２９】
基部３の正面部３１には回動部５を取り付けるために円形の回動孔３７が穿設され、ここに回動部５の回動軸環５３を嵌め込むように設けられている。回動部５の表面には安全ピンなどを取り付けるための取付孔５１が設けられている。【００３０】
ストッパー４には、糸穴４１が設けられており、このストッパー４をボタンとして直に布に縫い付けることもできる。これによって、冬制服などの分厚い生地の服などでは、ストッパー４をむき出し状態として、後述する取付方法により取り付けることも可能なように設けられている。【００３１】
この留め具の使用方法について説明する。
まずは、図２および図４（ａ）に示すように、嵌入部２および基部３を組み立てて、挟持部１が開放した状態にする。
次に、ストッパー４を布地の片側、例えば服の内側に配置し、一方、挟持部１を反対側の服の外側に配置する。【００３２】
この状態で、ストッパー４を生地と一緒に挟持部１内部へ押し込む。ストッパー４と生地が挟持部１内部へ収まったところで、嵌入部２および基部３を互いに近づける方向で押しやると、挟持部１は閉鎖し、保持手２６、３６のそれぞれの先端の幅がストッパー４の直径よりも僅かに小さくなる。また、ストッパー４の外周と保持手２６、３６先端との間には生地の厚さ以上の間隔が設定されており、実際には生地を挟み込むのではなく、生地はストッパー４の外周と保持手２６、３６先端のいずれかに軽く触れた状態で保持される。【００３３】
図４（ｂ）に示すように、スライド部２２が溝部３２に一杯入った状態で、係止爪２３は爪受け３３ｂに嵌合される。前述したように、この状態では係止面２５および係止受け面３５の傾斜により、嵌入部２および基部３を引き離そうとする力が加わると、互いにかみ込む状態となり、外れにくい構造となっている。【００３４】
この留め具をはずす場合は、両側の押ボタン２４を摘むようにして押し入れると、係止爪２３が爪受け３３ｂから外れる。この際、布地は保持２６、３６を引き離そうとする方向に僅かに作用しているため、係止爪２３は容易に爪受け３３ａの方向へと移動する。【００３５】
このように、本発明の留め具の特徴としては、装着が容易で、一旦装着すると簡単に外れることがない構造となっていることが上げられる。また、従来技術に比し、布地を巻き込む量が非常に少ないため、布地へのストレスが最小限にでき、その分皺も付きにくい。一方で、意図的に外そうとする場合は、押ボタン３４を押し込むだけで簡単に外れる。【００３６】
次に第２の実施形態について説明する。
本実施形態の留め具は、前記した挟持部１を更に発展させたもので、ここではIDパス用のホルダーとしての例を説明する。
図１１および１２に示すように、本実施形態の挟持部１０は、基部５と、これに嵌入して係止される嵌入部６とからなり、さらに基部５へ回動自在に取り付けられる回動部７と、回動部７に取り付けられてIDパスなどを保持する掛下部８が取り付けられる。これらの構成部品を組み立てて、挟持部１０を閉鎖した状態が図１３（ａ）で示され、開放した状態が図１３（ａ）に示した状態である。【００３７】
ここで、各構成部品の詳細ついて説明する。
図１１乃至図１４に示すように、基部５の両側部にはリリースボタン５２が形成されており、その下部は可撓性のあるボタンアーム５１となっている。図１４（ｂ）に示すように、内部上方の両側付近には嵌入部６を係止するための上部爪受け５３がそれぞれ形成され、内部下方の両側付近には嵌入部６が脱落しないように下部爪受け５５がそれぞれ形成されている。また、基部５の前面には回動部７を取り付けるための嵌合穴５７が形成されている。背面上部には挟持部１０を衣服に留めるための凸円弧状の保持手５８が形成されている。【００３８】
嵌入部６の両側面には可撓性のあるスライド部６１が形成され、その先端には略半円くさび形状の係止部６２が形成され、その幅はスライド部６１より広く、係止部６２の下端が両側に張り出した部分が係止爪６３となり、基部５の上部爪受け５３に係止される。また、背面には衣服に留めるための保持手６８が形成され、その先端部分は凹円弧状となっている。【００３９】
回動部７の背面には、基部５の嵌合穴５７に嵌合するための環状の嵌合爪７５が４分割して形成されている。回動部７の正面には掛下部８を取り付けるためのバー７８が形成されている。【００４０】
掛下部８は略Ｖ字状に形成されており、掛下部８を閉じた際に互いに嵌合して掛下部８を固定する凸条８１と凹条８２が上部に形成されている。下部にはＩＤパス８５（図２１参照）などを保持する断面楕円状の保持管８３と、上端部には回動部７のバー７８に回動自在に取り付けられるバー管８７が形成されている。【００４１】
次に、挟持部１０の動作について説明する。
嵌入部６のスライド部６１の先端を内側に撓ませて、係止爪６３が下部爪受け５５を避けることができる幅までして、基部５内に挿入して、係止爪６３が下部爪受け５５を過ぎたところで離すとスライド部６１が元の形状となり、図１４（ｂ）に示すように、係止爪６３が下部爪受け５５によって下がらないようになり、嵌入部６は基部５から脱落しなくなる。【００４２】
そのまま、嵌入部６を基部５内へ更に押し込むと、図１４（ａ）に示すように、係止部６２の斜面６４と上部爪受け５３の斜面５４とが接触して、お互いが摺動してスライド部６１上部を内側へ撓ませるように変形させ、係止爪６３の底面が上部爪受け５３の上端面を過ぎた時点で、スライド部６１は元の形に戻り、係止爪６３が上部爪受け５３に係止されて、挟持部１０は閉鎖された状態で保持される。【００４３】
尚、係止爪６３の底面および上部爪受け５３の上端面は、それぞれ外側のほうが僅かに低い傾斜となっており、挟持部１０を開こうとする力が加わると、スライド部６１外側面がボタンアーム５１内側面に当接して開かなくなるため、挟持部１０は安易に開放されることは無い。【００４４】
挟持部１０を開放するためには、リリースボタン５２を両側から押し込む。図１６および図１７に示すように、ボタンアーム５１及びリリースボタン５２は、スライド部６１と略同じまたはそれ以下の幅に形成されているため、上部爪受け５３に阻まれること無く係止部６２を一緒に押し込んでスライド部６１上部を撓ませられる。そのまま撓んで、図１４（ａ）に示すように、係止爪６３の底面が上部爪受け５３の上端面から外れた時点で、スライド部６１外側面とボタンアーム５１内側面がハの字状となっていることから、自身の復元力も手伝ってスライド部６１はボタンアーム５１内側面に沿って滑り降りようとし、嵌入部６全体を押し下げようとする力が働く。これにより一気に挟持部１０は開放され、図１４（ｂ）に示すように、係止爪６３が下部爪受け５５に当接した時点で、それ以上は下がらないようになり、嵌入部６は基部５から脱落しない。【００４５】
これまで説明したように、挟持部１０は図１３の各図に示すような開閉状態を可逆的に容易に操作できる。これにより、挟持部１０を開放した状態で、衣服に縫い付けられたボタン（図示せず）に近づけ、挟持部１０を閉じると、ボタンを保持手５８と保持手６８とで保持し、ボタンを縫い付けている糸により、挟持部１０は容易に衣服に係止した状態で保持され、挟持部１０を開放すると、衣服から容易に外すことができる。【００４６】
尚、前記の説明では、挟持部１０を衣服の外側に縫い付けられたボタンに係止していたが、これに限られるものではなく、最初の実施形態のストッパー４と同様に、汎用のボタンを衣服の内側に入れて、衣服の生地を裏表両側から挟んで留めるようにすることも可能である。特に、基部５の保持手５８が凸円弧状に形成され、かつ、嵌入部６の保持手６８の先端部分は凹円弧状に形成されているため、挟み込んだ布地を逃がすための空間は十分に確保される。【００４７】
この第２の実施形態の挟持部１の使用例としては、図２１に示すような、ＩＤパス８５などを取り付ける保持具として使用することができ、すでに取り付けられている衣服のボタン、またはこのＩＤパスを取り付けるために縫い付けたボタン、もしくはボタンを衣服の内側に入れて生地を挟持する方法の、いずれの方法でも容易にＩＤパスを容易に着脱できる。尚、保持管８３にＩＤパス８５を装着した状態で、掛下部８を回動部７によって１８０度回動させると、ＩＤパス８５は裏返しにすることが出来る。【００４８】
他には、図２２に示すように、回動部７のバー７８に携帯電話用（図示せず）のストラップ７１を取り付けることにより、携帯電話を連結して、胸ポケットに入れた状態で、挟持部１をシャツのボタンなどに係止させれば、落ちる心配が無い。これにより、従来のクリップ式で水中に落としてしまっていた事故を防止できると同時に、首掛け式では首や肩への負担をかけていたものを、一気に解消できる。【００４９】
さらには、図２３に示すように、回動部７のバー７８に専用取付具７２を使って、腕章７３を取り付けると、袖にボタンを縫い付けるだけで、簡単に腕章７３を着脱できる。工事現場労働者や警備員や報道スタッフなどのように、頻繁に腕章を衣服に着脱する必要がある人は、従来は安全ピンで腕章を取り付けて衣服に穴をあけていたものが、その穴の悩みから一気に開放される。【００５０】
次に、第３の実施形態について説明する。
同様の構造を用いることによりＭＰ３携帯音楽機器の装着用ケースにも応用できる。例えば、図１１に示すような、機器９０を収納するケース９であって、ケース９はケース本体９１と蓋体９２とストッパー９５から構成される。【００５１】
使用方法としては、ストッパー９５を服の内側に位置させて、機器９０を収納したケース本体９１と蓋体９２とを服の外側に位置させ、蓋体９２を押し下げることによって、下保持手９３と上保持手９４とよりストッパー９５の上下端を服の布地と一緒に保持することになり、服の任意の部分に係止できる。【００５２】
これによって、従来は専用アームホルダーで腕に固定したり、クリップで襟元などに留めるしかなかったＭＰ３携帯音楽機器も、このような形体の装着用ケースを持ってすれば、Ｔシャツなどの任意の位置に取り付けることができ、邪魔にならず、ウォーキングやジョギングにおいても、快適に音楽を聴きながら、エクササイズが出来る。【００５３】
尚、本発明は以上のような実施形態に限定されるものではない。本発明の特許請求の範囲に記載した事項と実質的に同一の構成を有し、同一の作用効果を奏するものは本発明の技術的範囲に属する。【００５４】
上記実施形態では、ストッパー４がボタン状であったが、これに限られるものではなく、留め具の用途などによって任意の形状とすることができる。例えば、球状として、それを挟持する側を同様の形状とすることにより、より生地へのストレスを小さくしたり、留め具そのものの形状を小さくすることも可能である。そのような構造にすると、例えば貴金属で製造して宝飾品用の留め具とすることもできる。【００５５】
係止手段としては、上記の実施例のように可撓性を有する材質で形成して、係止爪で係止させる方法以外にも、フック状のものや螺子止めなどの多くの方法を採用することは可能である。それによって、形状や用途も広げることができる。
【産業上の利用可能性】
【００５６】
本発明の留め具は、安全ピンなどの留め具に替わり、服に穴を開けずに名札などを留めることができるため、従来技術で例示した学童の名札のみならず、広くビジネスシーンやアパレル業界全体での利用が期待でき、さらに宝飾用留め具や携帯音楽機器の装着用ケースなど、更に広範囲な用途に発展することができる。
【図１】
2008139783.tif 000003
【図２】
2008139783.tif 000004
【図３】
2008139783.tif 000005
【図４】
2008139783.tif 000006
【図５】
2008139783.tif 000007
【図６】
2008139783.tif 000008
【図７】
2008139783.tif 000009
【図８】
2008139783.tif 000010
【図９】
2008139783.tif 000011
【図１０】
2008139783.tif 000012
【図１１】
2008139783.tif 000013
【図１２】
2008139783.tif 000014
【図１３】
2008139783.tif 000015
【図１４】
2008139783.tif 000016
【図１５】
2008139783.tif 000017
【図１６】
2008139783.tif 000018
【図１７】
2008139783.tif 000019
【図１８】
2008139783.tif 000020
【図１９】
2008139783.tif 000021
【図２０】
2008139783.tif 000022
【図２１】
2008139783.tif 000023
【図２２】
2008139783.tif 000024
【図２３】
2008139783.tif 000025
【図２４】
2008139783.tif 000026
【国際調査報告】
2008139783.tif 000027
2008139783.tif 000028
2008139783.tif 000029
2008139783.tif 000030